(57)【要約】      （修正有）【課題】線香を立てる部分が回転自在であると共に、線香が倒れにくく、また、灰の清掃が簡単に行える線香立てを提供する。【解決手段】外筐部１の底面の中心に軸受穴１１が形成される。回転載置台部２は、軸部２１と底面円板２２と載置円板２３とからなる。底面円板２２の下面からは軸部２１が突出され、載置円板２３の上方からは軸部２１が延出される。線香立部３は、グラスファイバー素子から形成され、その中心に貫通口３１が形成され、また、複数の線香穴３２が形成される。外筐部１内の軸受穴１１に、回転載置台部２の下面から突出した軸部２１を挿入し、回転載置台部２の載置円板２３の上方から延出した軸部２１を、線香立部３の中心の貫通口３１に挿入して、これに線香立部３を載置する。回転載置台部２が回転自在に配置されるので、火のついた線香が奥になるように、線香立部３を回転できる。【選択図】図１
0003142057.tif 000002
【実用新案登録請求の範囲】
【請求項１】
底面に軸挿入口を有する外筐部と、
前記外筐部内に回転自在に配置するための回転軸となる軸部を有し、前記軸部の一端が底面から下方に突出すると共に、前記軸部の他端が上方に延出する回転載置台部と、
中心に貫通口を有すると共に、線香を立てるための複数の線香穴が形成された線香立部とを備え、
前記回転載置台部の底面から下方に突出する軸部を前記外筐部の前記軸挿入口に挿入し、前記回転載置台部の上方から延出した軸部を、前記線香立部の中心の前記貫通口に挿入して、前記回転載置台部上に前記線香立部を載置する
ことを特徴とする線香立て。
【請求項２】
前記線香立部は、グラスファイバー素子から形成されることを特徴とする請求項１に記載の線香立て。
【請求項３】
前記線香立部に、束になった線香を立てるための束線香穴を設けたことを特徴とする請求項１又は２に記載の線香立て。
【請求項４】
前記底面円板と前記載置円板との間の距離を可変できるようにしたことを特徴とする請求項１乃至３に記載の線香立て。
【請求項５】
さらに、前記外筐部に蝋燭立てを設けることを特徴とする請求項１乃至４の何れかに記載の線香立て。
【請求項６】
前記線香立部は、内部に長手方向に垂直に複数の穴が並んで配設された帯状のグラスファイバー素子を丸め込んで形成したことを特徴とする請求項１乃至５の何れかに記載の線香立て。
【考案の詳細な説明】
【技術分野】
【０００１】
本考案は、寺院内等の室内、室外用の香炉、お墓の墓塔に備えつけられる線香立てに関する。
【背景技術】
【０００２】
従来の線香立ては、灰を充満させた容器に、線香を立てるものであった。しかしながら、このような従来の線香立てでは、線香が倒れやすいという問題がある。また、線香が倒れて、線香立ての縁に付いてしまうと、火災の原因になったり、線香が立ち消えになったりするという問題がある。
【０００３】
また、従来の線香立てでは、火のついた線香が手前側に立てられていると、後から参拝する人は奥側に線香を供えなければならなくなり、このために手前の線香を袖で倒したり、火傷をすることが、しばしば発生した。そこで、例えば特許文献１に示されているように、器を回転自在に設け、火傷の危険を避けるように回転させることができるようにしたものが提案されている。
【特許文献１】特開平７−２７９４８５号公報
【考案の開示】
【考案が解決しようとする課題】
【０００４】
ところが、特許文献１に示されている線香立てでは、灰を充満させた容器に線香を立てるものであるから、線香が倒れやすいという問題がある。また、線香を燃やすと、多量の灰が発生する。特許文献１に示されるものでは、全て灰を開けて清掃をしなければならず、灰の掃除が大変である。
【０００５】
上述の課題を鑑み、本考案は、線香を立てる部分が回転自在であると共に、線香が倒れにくく、また、灰の清掃が簡単に行えるようにした線香立てを提供することを目的とする。
【課題を解決するための手段】
【０００６】
上述の課題を解決するために、本考案の線香立ては、底面に軸挿入口を有する外筐部と、外筐部内に回転自在に配置するための回転軸となる軸部を有し、軸部の一端が底面から下方に突出すると共に、軸部の他端が上方に延出する回転載置台部と、中心に貫通口を有すると共に、線香を立てるための複数の線香穴が形成された線香立部とを備え、回転載置台部の底面から下方に突出する軸部を外筐部の軸挿入口に挿入し、回転載置台部の上方から延出した軸部を、線香立部の中心の貫通口に挿入して、回転載置台部上に線香立部を載置することを特徴とする。
【０００７】
好ましくは、線香立部は、グラスファイバー素子から形成されることを特徴とする。
【０００８】
好ましくは、線香立部に、束になった線香を立てるための束線香穴を設けたことを特徴とする。
【０００９】
好ましくは、底面円板と載置円板との間の距離を可変できるようにしたことを特徴とする。
【００１０】
好ましくは、さらに、外筐部に蝋燭立てを設けることを特徴とする。
【００１１】
好ましくは、線香立部は、内部に長手方向に垂直に複数の穴が並んで配設された帯状のグラスファイバー素子を丸め込んで形成したことを特徴とする。
【考案の効果】
【００１２】
本考案によれば、底面に軸挿入口を有する外筐部と、外筐部内に回転自在に配置するための回転軸となる軸部を有し、軸部の一端が底面から下方に突出すると共に、軸部の他端が上方に延出する回転載置台部と、中心に貫通口を有すると共に、線香を立てるための複数の線香穴が形成された線香立部とを備え、回転載置台部の底面から下方に突出する軸部を外筐部の軸挿入口に挿入し、回転載置台部の上方から延出した軸部を、線香立部の中心の貫通口に挿入して、回転載置台部上に線香立部を載置しているので、火のついた線香が奥になるように、線香立部を回転させることで、満遍なく、線香を立てることができ、火傷の危険がなく、線香を供えることができる。また、本考案によれば、外筐部と線香立部と回転載置台部とが簡単に分解できるので、内部の清掃が簡単に行え、また、部品の交換が容易である。
【００１３】
また、本考案によれば、線香立部は、グラスファイバー素子から形成されているので、線香を線香穴に挿入して立てることで、線香が倒れることがなく、また、線香が途中で立ち消えすることがない。
【００１４】
また、本考案によれば、線香立部に、束になった線香を立てるための束線香穴を設けているので、線香を１本１本ばらして立てることも、線香を束のまま立てることもできる。
【００１５】
また、本考案によれば、底面円板と載置円板との間の距離を可変できるので、線香を立てたときの高さを調整することができる。
【００１６】
また、本考案によれば、外筐部に蝋燭立てを設けているので、蝋燭が倒れて、火災が発生する危険性が少なくなる。
【００１７】
また、本考案によれば、線香立部は、内部に長手方向に垂直に複数の穴が並んで配設された帯状のグラスファイバー素子を丸め込んで形成しているので、線香立部を外して、帯状のグラスファイバー素子を広げれば、その間に溜まった灰を簡単に落とすことができ、線香立部に溜まった線香の灰の清掃が簡単に行える。
【考案を実施するための最良の形態】
【００１８】
第１実施形態．
以下、本考案の実施の形態について図面を参照しながら説明する。図１及び図２は、は本考案の第１実施形態の線香立て１０１を示すものである。図１及び図２において、１は外筐部、２は回転載置台部、３は線香立部である。
【００１９】
外筐部１は、上部が開放となったカップ状の形状となっており、例えば青銅、真鍮、鉄、ニッケル、アルミニウム等の金属から形成されている。外筐部１の底面の中心には、軸受穴１１が形成されている。また、外筐部１の底面には、複数（この例では２つ）の水抜穴１２が形成されている。
【００２０】
回転載置台部２は、回転軸となる軸部２１と、底面円板２２と、載置円板２３とから構成される。図３に示すように、軸部２１は、パイプ材２５に棒材２６を挿入して構成されている。底面円板２２は、軸部２１の先端の棒材２６の部分に取り付けられ、底面円板２２の下面からは、軸部２１が突出される。載置円板２３は、底面円板２２から所定の距離だけ離れて、軸部２１のパイプ材２５の部分に取り付けられ、載置円板２３の上方からは、軸部２１が延出される。底面円板２２と、載置円板２３との間の距離は、パイプ材２５と棒材２６とスライドさせることで、可変できる。
【００２１】
線香立部３は、グラスファイバー素子から形成されている。グラスファイバー素子は、耐熱性があり、不燃性であり、しかも、強度が強いという特徴がある。線香立部３の中心に、回転載置台部２の軸部２１を通すための貫通口３１が形成されている。また、線香立部３には、複数の線香穴３２と、束になった線香を立てるための束線香穴３３が形成されている。図２に示すように、線香穴３２には、線香３５が挿入される。
【００２２】
本考案の第１実施形態の線香立て１０１を組み立てる際には、外筐部１内の軸受穴１１上に、回転載置台部２の下面から突出した軸部２１を挿入し、回転載置台部２を外筐部１内に回転自在に配置する。そして、回転載置台部２の載置円板２３の上方から延出した軸部２１を、線香立部３の中心の貫通口３１に挿入して、回転載置台部２の載置円板２３の上に、線香立部３を載置する。これにより、図２に示すような線香立て１０１が組み立てられる。
【００２３】
このように、本考案に第１実施形態の線香立て１０１では、外筐部１内に回転自在に配置された回転載置台部２の上に、線香立部３を載置しているため、火のついた線香が奥になるように、線香立部３を回転させることで、満遍なく、線香を立てることができ、火傷の危険がなく、線香を供えることができる。
【００２４】
また、本考案の第１実施形態の線香立て１０１では、線香立部３がグラスファイバー素子から形成されており、線香立部３には、複数の線香穴３２が形成されている。このため、線香３５を線香穴３２に挿入して立てることで、線香が倒れることがなく、また、線香３５が途中で立ち消えすることがない。
【００２５】
また、本考案の第１実施形態の線香立て１０１では、外筐部１と線香立部３と回転載置台部２とが簡単に分解できる。このため、線香立て１０１の内部の清掃が簡単に行え、また、部品の交換が容易である。
【００２６】
さらに本考案の第１実施形態の線香立て１０１では、底面円板２２と、載置円板２３との間の距離が可変できる。このため、線香を立てたときの高さを調整することができる。
【００２７】
第２実施形態．
図４及び図５は、本考案の第２実施形態の線香立て２０１を示すものである。この実施形態では、外筐部１に、蝋燭立部５１を設けるようにしている。すなわち、外筐部１に延出部５０が設けられ、この延出部５０に、蝋燭立部５１が形成される。蝋燭立部５１には、蝋燭取付棒５２が植立される。図５に示すように、この蝋燭取付棒５２に、蝋燭５３が取り付けられる。
【００２８】
このように、本考案の第２実施形態の線香立て２０１では、外筐部１に蝋燭立部５１が設けられているため、線香と共に、蝋燭を立てることができる。本考案の第２実施形態の線香立て２０１は、外筐部１が安定した構造となっており、この外筐部１に蝋燭立部５１が設けているので、蝋燭が倒れて、火災が発生する危険性が少なくなる。他の構成については、前述の第１実施形態と同様である。
【００２９】
第３実施形態．
図６、図７及び図８は、本考案の第３実施形態の線香立て３０１を示すものである。この実施形態では、線香立部３として、線香穴３２が螺旋状に形成されたものが用いられる。他の構成は、前述の第２実施形態と同様である。
【００３０】
図６及び図７に示すような線香立部３は、図８に示すように、その内部に長手方向に垂直に複数の穴３２が並んで配設された帯状のグラスファイバー素子６０を用いて形成できる。すなわち、図８に示すように、その内部に長手方向に垂直に複数の穴３２が並んで配設された帯状のグラスファイバー素子６０を丸め込むと、その中心に回転載置台部２の軸部２１を通すための貫通口３１が形成され、帯状のグラスファイバー素子６０に並んだ穴３２が螺旋状に形成されていく。
【００３１】
この実施形態では、線香立部３を、内部に複数の穴３２が並んで配設された帯状のグラスファイバー素子６０を丸め込んで形成している。このため、線香立部３を外して、帯状のグラスファイバー素子６０を広げれば、その間に溜まった灰を簡単に落とすことができ、線香立部３に溜まった線香の灰の清掃が簡単に行えるという利点がある。
【産業上の利用可能性】
【００３２】
本考案は、寺院内等の室内、室外用の香炉、お墓の墓塔に備えつけられる線香立てとして用いることができる。
【図面の簡単な説明】
【００３３】
【図１】本考案の第１実施形態の線香立ての構成を示す分解斜視図である。
【図２】本考案の第１実施形態の線香立ての全体構成を示す斜視図である。
【図３】本考案の第１実施形態の線香立てにおける回転載置台部の説明に用いる断面図である。
【図４】本考案の第２実施形態の線香立ての構成を示す分解斜視図である。
【図５】本考案の第２実施形態の線香立ての全体構成を示す斜視図である。
【図６】本考案の第３実施形態の線香立ての構成を示す分解斜視図である。
【図７】本考案の第３実施形態の線香立ての全体構成を示す斜視図である。
【図８】本考案の第３実施形態の線香立てにおける線香立部の説明図である。
【符号の説明】
【００３４】
１  外筐部
２  回転載置台部
３  線香立部
１１  軸受穴
１２  水抜穴
２１  軸部
２２  底面円板
２３  載置円板
２５  パイプ材
２６  棒材
３１  貫通口
３２  線香穴
３３  束線香穴
５０  延出部
５１  蝋燭立部
５２  蝋燭取付棒
６０  帯状のグラスファイバー素子
【図１】
0003142057.tif 000003
【図２】
0003142057.tif 000004
【図３】
0003142057.tif 000005
【図４】
0003142057.tif 000006
【図５】
0003142057.tif 000007
【図６】
0003142057.tif 000008
【図７】
0003142057.tif 000009
【図８】
0003142057.tif 000010